(57)【要約】      （修正有）【課題】マスク本体の下方から酸素供給チューブが接続される酸素マスクにおいて、マスクの上部（即ち鼻背付近）の隙間から酸素が漏れることを抑止した酸素マスクの提供。【解決手段】鼻若しくは鼻及び口を覆うマスク本体部と、マスク本体部の下方側から酸素供給チューブを接続する接続部１２２を有しマスク本体部内へ酸素を導入する酸素導入部１２と、マスク本体部内へ供給される酸素の上方への流れを変える流路変更部材１２５と、を備える酸素マスク。【選択図】図３
0003210215.tif 000002
【実用新案登録請求の範囲】
【請求項１】
鼻若しくは鼻及び口を覆うマスク本体部と、
前記マスク本体部の下方側から酸素供給チューブを接続する接続部を有し、前記マスク本体部内へ酸素を導入する酸素導入部と、
前記マスク本体部内へ供給される酸素の上方への流れを変える流路変更部材と、
を備えることを特徴とする酸素マスク。
【請求項２】
前記酸素導入部が、筒状体部を備え、
当該筒状体部の下面側に前記接続部が形成され、
前記筒状体部の上面側に前記流路変更部材が形成され、
酸素供給口が前記筒状体部の側面方向に開口している
ことを特徴とする請求項１に記載の酸素マスク。
【請求項３】
前記流路変更部材が、前記マスク本体部内へ供給される酸素の流れを略水平方向へと誘導する水平板にて構成されていることを特徴とする請求項１又は２に記載の酸素マスク。
【請求項４】
前記流路変更部材が、前記マスク本体部内へ供給される酸素の流れを斜め方向へと誘導する傾斜板にて構成されていることを特徴とする請求項１又は２に記載の酸素マスク。
【請求項５】
前記マスク本体部の鼻を覆う部分の下面となる位置に仕切り部を有することで、鼻の部分を覆う吸気部が形成され、
前記酸素導入部に形成された酸素供給口の下端が、前記仕切り部の上面に沿うように形成されていることを特徴とする請求項１から４の何れかに記載の酸素マスク。
【請求項６】
前記マスク本体部にコネクター装着孔が下向きに開口して形成され、
前記酸素導入部が、前記コネクター装着孔に対して着脱可能な酸素供給チューブ接続用コネクターとして形成され、当該酸素供給チューブ接続用コネクターに前記流路変更部材が備えられることを特徴とする請求項１から５の何れかに記載の酸素マスク。
【請求項７】
請求項６に記載の酸素マスクに使用される酸素供給チューブ接続用コネクターであって、前記流路変更部材を備えることを特徴とする酸素供給チューブ接続用コネクター。
【考案の詳細な説明】
【技術分野】
【０００１】
本考案は、酸素ボンベや酸素濃縮機等からの酸素（濃縮酸素を含む）を吸入させるための酸素マスク及びこれに使用される酸素供給チューブ接続用コネクターに関する。
【背景技術】
【０００２】
従来、酸素ボンベ等からの酸素や酸素濃縮機等からの濃縮酸素を、患者等に吸入させるために、酸素マスクが使用されている。
特許文献１及び２には、当該酸素マスクに関する技術が開示されている。
【先行技術文献】
【特許文献】
【０００３】
【特許文献１】実用新案登録第３１９２３６８号公報
【特許文献２】特開２００８−１５４８９９
【考案の概要】
【考案が解決しようとする課題】
【０００４】
酸素マスクは、酸素を吸入する者の鼻や口を覆うマスク本体を有し、これに酸素を供給する酸素供給チューブが接続されるのが基本的な構成である。当該マスク本体への酸素供給チューブの接続は、マスク本体の下方から接続されるものが一般的である。マスク本体の上側や側面側から酸素供給チューブを接続した場合、酸素を吸入する者が起きている状態においては、酸素供給チューブが垂れ下がることにより酸素供給チューブに折れ曲がりが生じ易い傾向となる。酸素供給チューブが折れ曲がると、酸素供給ができなくなる（若しくは供給量が低下する）おそれがある。従って、酸素マスクにおいては、マスク本体の下方から酸素供給チューブが接続されるものが多いものである。
このような従来の酸素マスクにおいては、マスク内への酸素の供給において、マスク本体の下方から上方へ向けて酸素が供給されることになる。これにより、図６に示されるように、マスクの上部（即ち鼻背付近）の隙間から酸素が漏れ易く、漏れた酸素が目にふきかかって煩わしい若しくは目が乾燥してしまうという問題があった。
【０００５】
本考案は、上記の点に鑑み、マスク本体の下方から酸素供給チューブが接続される酸素マスクにおいて、マスクの上部（即ち鼻背付近）の隙間から酸素が漏れることが抑止された酸素マスクを提供することを目的とする。
【課題を解決するための手段】
【０００６】
（構成１）
鼻若しくは鼻及び口を覆うマスク本体部と、前記マスク本体部の下方側から酸素供給チューブを接続する接続部を有し前記マスク本体部内へ酸素を導入する酸素導入部と、前記マスク本体部内へ供給される酸素の上方への流れを阻害する流路変更部材と、を備えることを特徴とする酸素マスク。
【０００７】
（構成２）
前記酸素導入部が、筒状体部を備え、当該筒状体部の下面側に前記接続部が形成され、前記筒状体部の上面側に前記流路変更部材が形成され、酸素供給口が前記筒状体部の側面方向に開口していることを特徴とする構成１に記載の酸素マスク。
【０００８】
（構成３）
前記流路変更部材が、前記マスク本体部内へ供給される酸素の流れを略水平方向へと誘導する水平板にて構成されていることを特徴とする構成１又は２に記載の酸素マスク。
【０００９】
（構成４）
前記流路変更部材が、前記マスク本体部内へ供給される酸素の流れを斜め方向へと誘導する傾斜板にて構成されていることを特徴とする構成１又は２に記載の酸素マスク。
【００１０】
（構成５）
前記マスク本体部の鼻を覆う部分の下面となる位置に仕切り部を有することで、鼻の部分を覆う吸気部が形成され、前記酸素導入部に形成された酸素供給口の下端が、前記仕切り部の上面に沿うように形成されていることを特徴とする構成１から４の何れかに記載の酸素マスク。
【００１１】
（構成６）
前記マスク本体部にコネクター装着孔が下向きに開口して形成され、前記酸素導入部が、前記コネクター装着孔に対して着脱可能な酸素供給チューブ接続用コネクターとして形成され、当該酸素供給チューブ接続用コネクターに前記流路変更部材が備えられることを特徴とする構成１から５の何れかに記載の酸素マスク。
【００１２】
（構成７）
構成６に記載の酸素マスクに使用される酸素供給チューブ接続用コネクターであって、前記流路変更部材を備えることを特徴とする酸素供給チューブ接続用コネクター。
【考案の効果】
【００１３】
本考案の酸素マスクによれば、マスク本体の下方から酸素供給チューブが接続される酸素マスクにおいて、マスク本体部内へ供給される酸素の上方への流れを変える流路変更部材を備えることにより、マスクの上部（即ち鼻背付近）の隙間から酸素が漏れることが抑止される。
【図面の簡単な説明】
【００１４】
【図１】本考案に係る実施形態の酸素マスクを示す斜視図
【図２】酸素供給チューブ接続用コネクターを示す図であり、（ａ）：斜視図、（ｂ）：正面図、（ｃ）：背面図、（ｄ）：側面図、（ｅ）：断面図
【図３】酸素マスクを示す図であり、（ａ）：正面図、（ｂ）：側面図、（ｃ）：断面図、（ｄ）：使用状態を説明する図
【図４】酸素供給チューブ接続用コネクターの別の例を示す図であり、（ａ）：斜視図、（ｂ）：正面図、（ｃ）：背面図、（ｄ）：側面図、（ｅ）：断面図
【図５】図４の酸素供給チューブ接続用コネクターを用いた酸素マスクを示す図であり、（ａ）：斜視図、（ｂ）：断面図
【図６】従来の酸素マスクの使用状態を説明する図
【考案を実施するための形態】
【００１５】
以下、本考案の実施態様について、図面を参照しながら具体的に説明する。なお、以下の実施態様は、本考案を具体化する際の一形態であって、本考案をその範囲内に限定するものではない。
【００１６】
図１、３は、本考案に係る実施形態の酸素マスクを示す図であり、図１（ａ）は斜視図、図１（ｂ）はマスク本体部から酸素供給チューブ接続用コネクター（酸素導入部）を外した状態を示す図である。また、図３（ａ）は正面図、図３（ｂ）は側面図、図３（ｃ）は図３（ａ）のＢ−Ｂ線に沿った断面図、図３（ｄ）は使用状態を説明する図である。
各図に示されるように、本実施形態の酸素マスク１は、鼻及び口を覆うマスク本体部１１と、これに対して着脱可能な酸素供給チューブ接続用コネクター（酸素導入部）１２とを基本的な構成として有する。
【００１７】
マスク本体部１１は、鼻を覆う吸気部１１１と、口を覆う呼気部１１２を有している。即ち、図３（ｄ）等に示されるように、鼻を覆う部分の下面となる位置に仕切り部１１４を有することで、吸気部１１１が概ね鼻の部分のみを覆う形状に形成される。
吸気部１１１の下面となる仕切り部１１４には、酸素供給チューブ接続用コネクター１２を取り付けるためのコネクター装着孔１１３が形成される（マスク本体部にコネクター装着孔が下向きに開口して形成される）。当該コネクター装着孔１１３に酸素供給チューブ接続用コネクター１２が取り付けられ、酸素供給チューブ接続用コネクター１２に酸素供給減に接続された酸素供給チューブ（図示せず）が接続されることで、マスク本体部１１の吸気部１１１内に、酸素が供給されるものである。
マスク本体部１１は、上記構成により、吸気部１１１と呼気部１１２を空間的に区切るようにしているため、呼気によって酸素濃度が低下することが抑止される。
なお、酸素マスク１の顔への装着は、マスク本体部１１の周辺部に形成された挿通孔Ｈに、ゴム紐等を取り付け、当該ゴム紐等を耳にかけたり頭部にまわしたりすることで行う（従来と同様である）。
【００１８】
酸素供給チューブ接続用コネクター（酸素導入部）１２は、酸素供給チューブ（図示せず）を酸素マスク１に接続させるための部材であり、図２に示されるように、円筒状の筒状体部１２１をその基本態様とし、筒状体部１２１の下面側に酸素供給チューブを接続するための接続部１２２が形成される。前述のごとく、マスク本体部１１（吸気部１１１）のコネクター装着孔１１３は、下向きに開口して形成されるため、接続部１２２は、マスク本体部１１の下方側から酸素供給チューブを接続させるものである。
筒状体部１２１は、その外径がコネクター装着孔１１３の内径とほぼ同等に形成され、フランジ１２３が形成される。当該構成より、筒状体部１２１をコネクター装着孔１１３に挿入し、フランジ１２３が突き当たることで、マスク本体部１１への酸素供給チューブ接続用コネクター１２の取り付けが行われるものである。
筒状体部１２１の上部には、上面（水平板）が形成されることによって、流路変更部材１２５が形成される。
また、筒状体部１２１の上部側面には、酸素供給口１２４が側面方向に開口している。
【００１９】
上記構成の酸素供給チューブ接続用コネクター１２が、マスク本体部１１に取り付けられることにより、図３（ｃ）、（ｄ）に示されるように、マスク本体部１１（吸気部１１１）内で酸素供給口１２４が開口し、酸素（若しくは濃縮酸素等）を、マスク本体部１１（吸気部１１１）内へ供給する。
【００２０】
ここで、従来の酸素マスクの使用状態の一例を図６に示した。
図６に示されるように、従来の酸素マスクにおいては、マスク内への酸素の供給において、マスク内の下方から上方へ向けて酸素が供給されることになる。これにより、上方へ向けた気流が生じ、マスクの上部（即ち鼻背付近）の隙間から酸素が漏れ易いという問題があった。また、漏れた酸素が目にふきかかって煩わしい若しくは目が乾燥してしまうという問題があった。
【００２１】
これに対し、本実施形態の酸素マスク１によれば、図３（ｄ）に示されるように、マスク本体部１１内へ供給される酸素の上方への流れを変える流路変更部材１２５を備えることにより、マスクの上部（即ち鼻背付近）の隙間から酸素が漏れることが抑止される。
また、本実施形態の酸素マスク１では、図３（ｃ）、（ｄ）に示されるように、酸素供給チューブ接続用コネクター１２をマスク本体部１１に取り付けられた状態で、酸素供給口１２４の下端が、仕切り部１１４の上面に沿うように形成され、酸素供給口１２４が鼻に対向するように形成されているため、酸素が効率よく吸入されるという優れた効果も奏する。即ち、流路変更部材１２５によって略水平方向に誘導される酸素の流れが、鼻まで阻害されることなく流れていくため、供給される酸素を効率よく吸入できるものである。
【００２２】
上記では、酸素の流れを水平方向へ誘導する部材として、酸素供給チューブ接続用コネクターの上面が略水平に形成されるものを例としたが、酸素の流れを斜め方向に誘導するものとしてもよい。
図４には、このようなものの一例としての酸素供給チューブ接続用コネクター１２´を示した。また、図５は、当該酸素供給チューブ接続用コネクター１２´を用いた酸素マスクを示す図である。
酸素供給チューブ接続用コネクター１２´は、流路変更部材１２５´が、酸素の流れを斜め上方へと誘導する傾斜板にて構成されている（酸素供給チューブ接続用コネクターの上面が傾斜している）ものである。その他の構成については、上記説明したものと同様である。
酸素供給チューブ接続用コネクター１２´によっても、上述と同様に、マスクの上部（即ち鼻背付近）の隙間から酸素が漏れることが抑止される。
なお、ここでは、酸素の流れを斜め上方へと誘導するものを例としたが、酸素の流れを斜め下方へと誘導させるように流路変更部材を構成してもよい（図４のものと傾斜角度を逆にする）。
【００２３】
なお、実施形態では、流路変更部材が、酸素供給チューブ接続用コネクター（酸素導入部）に形成されるものを例として説明したが、流路変更部材が、マスク本体部側に形成されるものであってもよい。例えば、図６のような従来の酸素供給チューブ接続用コネクターに対し、その上面に開口している酸素供給口からの酸素の上方向の流れを遮るような部材を、マスク本体部の内面に形成するものであってもよい。
【００２４】
本実施形態では、酸素供給チューブ接続用コネクター（酸素導入部）の基本態様が、円筒状のものを例としたが、これに限られるものではない（例えば多角柱等の形状であってもよい）。
また、本実施形態では、酸素供給チューブ接続用コネクター（酸素導入部）がマスク本体部とは別体で形成されるものを例としたが、酸素導入部がマスク本体部と一体的に形成されるものであってもよい。
【００２５】
本実施形態では、マスク本体部が、鼻を覆う吸気部１１１と口を覆う呼気部１１２を有しているもの（仕切り部１１４を有するもの）を例としたが、本考案をこれに限るものではなく、鼻と口を空間的に区切っていない従来の酸素マスクや、鼻の部分のみを覆うような酸素マスク（本実施形態における呼気部１１２が無いようなもの）にも適用することができる。
【符号の説明】
【００２６】
１．．．酸素マスク
１１．．．マスク本体部
１１１．．．吸気部
１１２．．．呼気部
１１３．．．コネクター装着孔
１１４．．．仕切り部
１２．．．酸素供給チューブ接続用コネクター（酸素導入部）
１２１．．．筒状体部
１２２．．．接続部
１２４．．．酸素供給口
１２５．．．流路変更部材
【図１】
0003210215.tif 000003
【図２】
0003210215.tif 000004
【図３】
0003210215.tif 000005
【図４】
0003210215.tif 000006
【図５】
0003210215.tif 000007
【図６】
0003210215.tif 000008